(57)【特許請求の範囲】
【請求項１】
建物の天井裏又はベランダの軒天に設けられる管状の貯留管と、
前記貯留管の一端部に設けられ、該貯留管の内部に水道水を取り込む取水部と、
前記貯留管の内部に設けられ、蛇行状の流水路を形成する複数の整流板と、
前記貯留管の他端部に設けられ、該貯留管の内部に貯留された前記水道水を外部に給水する給水部と、を備え、
前記複数の整流板は、前記貯留管の内部において前記貯留管の一端部に近接する位置に配設してなる非常用飲料水貯留管。
【請求項２】
建物の天井裏又はベランダの軒天に設けられる管状の貯留管と、
前記貯留管の一端部に設けられ、該貯留管の内部に水道水を取り込む取水部と、
前記貯留管の内部に設けられ、蛇行状の流水路を形成する複数の整流板と、
前記貯留管の他端部に設けられ、該貯留管の内部に貯留された前記水道水を外部に給水する給水部と、を備え、
前記複数の整流板は、前記貯留管の内周面に離間して設けられる第１整流板と、該第１整流板と離間するとともに前記貯留管の内周面に接触して設けられ貫通孔を有する第２整流板と、を交互に配設してなる非常用飲料水貯留管。
【請求項３】
前記取水部に設けられ、前記貯留管の内部に貯留された前記水道水が外部に逆流することを防止する逆止弁をさらに備えてなる請求項１又は２に記載の非常用飲料水貯留管。
【請求項４】
前記貯留管の一端部に設けられ、該貯留管の内部の負圧を解消するための外気を該貯留管の内部に取り込むバキュームブレーカをさらに備えてなる請求項１〜３のいずれか１項に記載の非常用飲料水貯留管。
【発明の詳細な説明】
【技術分野】
【０００１】
本発明は、地震や台風等の災害発生時における不意の断水に備え、必要最低限の新鮮な飲料水を確保することができる非常用飲料水貯留管に関する。
【背景技術】
【０００２】
地震等の広域災害が発生すると、断水が懸念され、斯かる不意の事態に備えるべく、各家庭において常日頃より必要最低限の飲料水を確保し、これを備蓄しておくことが望まれる。それゆえ、近年、市販のペットボトル入り飲料水を非常時用として買い置きする家庭が増加している。
【０００３】
しかしながら、市販のペットボトル入り飲料水を買い置きする場合には、このペットボトル入り飲料水に品質保証期限が設定されていることから、品質保証期限が訪れる度に買い替える必要があり、もって、買い置きしてあったペットボトル入り飲料水が無駄になる上、買い替えの手間や費用が嵩むという問題があった。
【０００４】
そこで、このような問題を解決すべく、特許文献１に記載のような発明が提案されている。特許文献１に記載の発明は、タンク本体の上部にある取水口から取り込まれた水道水が、上下複数段の整流板によって形成される蛇行状の流水路に沿って整流されながら流下し、平常時には、平常時用給水口より給水され、もって、常に新鮮な水を備蓄することができる。また、断水時には、タンク本体の内部が負圧となり、タンク本体の内部に水が保持されているから、飲料水として使用する場合、タンク本体の下部にある非常時用給水口より給水することができるというものである。
【先行技術文献】
【特許文献】
【０００５】
【特許文献１】特開２０１４−１０５４２１号公報
【発明の概要】
【発明が解決しようとする課題】
【０００６】
しかしながら、上記の発明には、次のような問題があった。すなわち、上記の発明では、タンク本体の取水口と水道の蛇口とがホースによって接続され、また、タンク本体の平常時用給水口と洗濯機の取水口とがホースによって接続されており（段落００２３参照）、これにより、タンク本体が水道の蛇口又は洗濯機の取水口に近接した場所に配置されることになるから、タンク本体の設置場所を確保することが非常に困難であった。そこで、タンク本体の設置場所を確保するためにタンク本体の容量を小さくしてタンク本体を小型化することが考えられるが、この場合には、必要最低限の新鮮な飲料水を確保することができないという問題があった。
【０００７】
そこで、本発明は、上記問題に鑑み、設置場所を容易に確保することができるとともに、必要最低限の新鮮な飲料水を確保することができる非常用飲料水貯留管を提供することを目的としている。
【課題を解決するための手段】
【０００８】
上記本発明の目的は、以下の手段によって達成される。なお、括弧内は、後述する実施形態の参照符号を付したものであるが、本発明はこれに限定されるものではない。
【０００９】
請求項１の非常用飲料水貯留管（１，１Ａ）によれば、建物（４０）の天井裏（天井裏床スラブ４１）又はベランダ（５０）の軒天（ベランダ屋根軒天５１）に設けられる管状の貯留管（２，２Ａ）と、
前記貯留管（２，２Ａ）の一端部（キャップ２ｈ）に設けられ、該貯留管（２，２Ａ）の内部に水道水（Ｗ）を取り込む取水部（３）と、
前記貯留管（２，２Ａ）の内部に設けられ、蛇行状の流水路（ＲＷ）を形成する複数の整流板（５）と、
前記貯留管（２，２Ａ）の他端部（キャップ２ｉ）に設けられ、該貯留管（２，２Ａ）の内部に貯留された前記水道水（Ｗ）を外部に給水する給水部（４）と、を備え、
前記複数の整流板（５）は、前記貯留管（２，２Ａ）の内部において前記貯留管（２，２Ａ）の一端部（キャップ２ｈ）に近接する位置に配設してなることを特徴としている。
【００１１】
請求項２の非常用飲料水貯留管（１，１Ａ）によれば、建物（４０）の天井裏（天井裏床スラブ４１）又はベランダ（５０）の軒天（ベランダ屋根軒天５１）に設けられる管状の貯留管（２，２Ａ）と、
前記貯留管（２，２Ａ）の一端部（キャップ２ｈ）に設けられ、該貯留管（２，２Ａ）の内部に水道水（Ｗ）を取り込む取水部（３）と、
前記貯留管（２，２Ａ）の内部に設けられ、蛇行状の流水路（ＲＷ）を形成する複数の整流板（５）と、
前記貯留管（２，２Ａ）の他端部（キャップ２ｉ）に設けられ、該貯留管（２，２Ａ）の内部に貯留された前記水道水（Ｗ）を外部に給水する給水部（４）と、を備え、
前記複数の整流板（５）は、前記貯留管（２，２Ａ）の内周面（２ａ２）に離間して設けられる第１整流板（５ａ，５ｃ）と、該第１整流板（５ａ，５ｃ）と離間するとともに前記貯留管（２，２Ａ）の内周面（２ａ２）に接触して設けられ貫通孔（５ｂ２）を有する第２整流板（５ｂ）と、を交互に配設してなることを特徴としている。
【００１２】
また、請求項３の非常用飲料水貯留管（１，１Ａ）によれば、上記請求項１又は２に記載の非常用飲料水貯留管（１，１Ａ）において、前記取水部（３）に設けられ、前記貯留管（２，２Ａ）の内部に貯留された前記水道水（Ｗ）が外部に逆流することを防止する逆止弁（６）をさらに備えてなることを特徴としている。
【００１３】
さらにまた、請求項４の非常用飲料水貯留管（１，１Ａ）によれば、上記請求項１〜３のいずれか１項に記載の非常用飲料水貯留管（１，１Ａ）において、前記貯留管（２，２Ａ）の一端部（キャップ２ｈ）に設けられ、該貯留管（２，２Ａ）の内部の負圧を解消するための外気を該貯留管（２，２Ａ）の内部に取り込むバキュームブレーカ（７）をさらに備えてなることを特徴としている。
【発明の効果】
【００１４】
次に、本発明の効果について、図面の参照符号を付して説明する。なお、括弧内は、後述する実施形態の参照符号を付したものであるが、本発明はこれに限定されるものではない。
【００１５】
請求項１又は２に係る発明によれば、取水部（３）より貯留管（２，２Ａ）の内部に取り込まれる水道水（Ｗ）は、貯留管（２，２Ａ）の内部に設けられる複数の整流板（５）によって形成される蛇行状の流水路（ＲＷ）に沿って整流されて流れ、平常時においては、給水部（４）より給水され、普段通りの水道水（Ｗ）として使用することができる一方、断水時においては、貯留管（２，２Ａ）の内部が負圧になることにより貯留管（２，２Ａ）の内部に水道水（Ｗ）が保持されることとなる。この保持された水道水（Ｗ）を飲料水として使用する場合には、貯留管（２，２Ａ）の内部の負圧を解消することにより給水部（４）より給水することができる。したがって、貯留管（２，２Ａ）の内部の水道水（Ｗ）は、貯留管（２，２Ａ）の内部で滞留することがなく、もって、常に新鮮な水道水（Ｗ）、すなわち、飲料水を常に家庭内や職場内等に備蓄することができる。
【００１６】
さらに、請求項１又は２に係る発明によれば、通常、建物（４０）又はベランダ（５０）のデッドスペースとなっている建物（４０）の天井裏（天井裏床スラブ４１）又はベランダ（５０）の軒天（ベランダ屋根軒天５１）に貯留管（２，２Ａ）が設けられるから、貯留管（２，２Ａ）の容量を十分に維持しながら、貯留管（２，２Ａ）の設置場所を容易に確保することができる。これにより、必要最低限の新鮮な飲料水を確保することができる。
【００１７】
さらにまた、請求項１又は２に係る発明によれば、管状の貯留管（２，２Ａ）が設けられているから、建物（４０）の天井裏（天井裏床スラブ４１）又はベランダ（５０）の軒天（ベランダ屋根軒天５１）に貯留管（２，２Ａ）を容易に設置できるとともに、例えば、汎用の水道管を構成する部品（一例として、直管（２ａ〜２ｄ）、継手（２ｅ〜２ｇ）等）を使用して貯留管（２，２Ａ）を容易かつ安価に製作することができる。
【００１８】
また、請求項１に係る発明によれば、複数の整流板（５）は、貯留管（２，２Ａ）の内部において貯留管（２，２Ａ）の一端部（キャップ２ｈ）に近接する位置、すなわち、一般に、貯留管（２，２Ａ）の内部の圧力が高く、貯留管（２，２Ａ）の内部の水道水（Ｗ）の流れが乱流になりやすい貯留管（２，２Ａ）の内部の水道水（Ｗ）取り込み位置に配設してなるから、貯留管（２，２Ａ）の内部の水道水（Ｗ）の流れが乱流になることを確実に抑制することができる。これにより、貯留管（２，２Ａ）の内部の水道水（Ｗ）の流れを層流にすることができ、もって、貯留管（２，２Ａ）の内部の水道水（Ｗ）の流れを安定させることができる。それゆえ、貯留管（２，２Ａ）の内部の水道水（Ｗ）が、貯留管（２，２Ａ）の内部で滞留することがなくなるから、常に新鮮な水道水（Ｗ）、すなわち、飲料水を常に家庭内や職場内等に備蓄することができる。
【００１９】
一方、請求項２に係る発明によれば、複数の整流板（５）は、貯留管（２，２Ａ）の内周面（２ａ２）に離間して設けられる第１整流板（５ａ，５ｃ）と、第１整流板（５ａ，５ｃ）と離間するとともに貯留管（２，２Ａ）の内周面（２ａ２）に接触して設けられ貫通孔（５ｂ２）を有する第２整流板（５ｂ）と、を交互に配設してなるから、簡素な構成により、蛇行状の流水路（ＲＷ）を簡単に形成することができる。
【００２０】
また、請求項３に係る発明によれば、断水時において、取水部（３）が低圧になり、貯留管（２，２Ａ）の内部は、平常時の給水時の圧力が一時的に保持されることから、貯留管（２，２Ａ）の内部圧力が取水部（３）の圧力より高くなる。それゆえ、取水部（３）に設けられ、貯留管（２，２Ａ）の内部に貯留された水道水（Ｗ）が外部に逆流することを防止する逆止弁（６）が作動して、貯留管（２，２Ａ）の内部に貯留された水道水（Ｗ）が取水部（３）の外部に逆流することを防止する。これにより、貯留管（２，２Ａ）の内部に水道水（Ｗ）を確実に保持することができる。
【００２１】
さらにまた、請求項４に係る発明によれば、貯留管（２，２Ａ）の一端部（キャップ２ｈ）に設けられ、貯留管（２，２Ａ）の内部の負圧を解消するための外気を貯留管（２，２Ａ）の内部に取り込むバキュームブレーカ（７）をさらに備えてなるから、断水時において、バキュームブレーカ（７）により外気を貯留管（２，２Ａ）の内部に取り込むことによって、貯留管（２，２Ａ）の内部の負圧が解消され、給水部（４）より水道水（Ｗ）を給水することができ、もって、給水部（４）から貯留管（２）の内部に貯留された水道水（Ｗ）を確実に給水することができる。
【図面の簡単な説明】
【００２２】
【図１】本発明の第１実施形態に係る非常用飲料水貯留管を示す平面図（一部断面図）である。
【図２】同実施形態に係る非常用飲料水貯留管の取水部周辺を示す拡大縦断面図である。
【図３】同実施形態に係る非常用飲料水貯留管の給水部周辺を示す拡大縦断面図である。
【図４】同実施形態に係る非常用飲料水貯留管の第１整流板の側面図である。
【図５】同実施形態に係る非常用飲料水貯留管の第２整流板の側面図である。
【図６】同実施形態に係る非常用飲料水貯留管を建物の天井裏床スラブに取り付けた状態を示す斜視図である。
【図７】本発明の第２実施形態に係る非常用飲料水貯留管を示す平面図（一部断面図）である。
【図８】同実施形態に係る非常用飲料水貯留管をベランダのベランダ屋根軒天に取り付けた状態を示す斜視図である。
【発明を実施するための形態】
【００２３】
＜第１実施形態＞
以下、本発明に係る非常用飲料水貯留管の第１実施形態を図１〜図６を参照して具体的に説明する。なお、以下の説明において、上下左右の方向を示す場合は、図示正面から見た場合の上下左右をいうものとする。
【００２４】
図１に示すように、非常用飲料水貯留管１は、建物４０（図６参照）の天井裏床スラブ４１（図６参照）に設けられる管状の貯留管２と、貯留管２の一端部に設けられ貯留管２の内部に水道水Ｗを取り込む取水部３と、貯留管２の他端部に設けられ貯留管２の内部に貯留された水道水Ｗを外部に給水する給水部４と、貯留管２の内部に設けられ蛇行状の流水路ＲＷ（図２参照）を形成する複数の整流板５と、取水部３に設けられ貯留管２の内部に貯留された水道水Ｗが外部に逆流することを防止する逆止弁６と、貯留管２の一端部に設けられ、断水時にキッチン４２の蛇口４２ａ（図６参照）から、貯留された水道水Ｗを取水する時、貯留管２の内部が負圧になっていることにより取水不能となるため、その内部の負圧を解消し、必要水を取水することができるバキュームブレーカ７と、を備えてなる。
【００２５】
貯留管２は、図１に示すように、直管２ａ〜２ｄと、直管２ａと直管２ｂとを連結する継手２ｅと、直管２ｂと直管２ｃとを連結する継手２ｆと、直管２ｃと直管２ｄとを連結する継手２ｇと、直管２ａの端部２ａ１（図２参照）に装着されるキャップ２ｈと、直管２ｄの端部２ｄ１（図３参照）に装着されるキャップ２ｉと、を有してなる。
【００２６】
直管２ａ〜２ｄは、図１に示すように、円筒状の樹脂管であって、例えば、ポリ塩化ビニル厚肉管（ＶＰ管）等の硬質ポリ塩化ビニル（ＰＶＣ）管である。継手２ｅ〜２ｇは、Ｌ字状に９０度折れ曲がる９０度エルボ継手であって、例えば、ＶＰ継手等の硬質ＰＶＣ継手である。継手２ｅ〜２ｇの両端部の内周部には、テーパ状の受け口が形成されており、継手２ｅ〜２ｇの受け口に接着剤を塗布し、直管２ａ〜２ｄの両端部（ただし、直管２ａの一端部及び直管２ｄの他端部を除く）の外周部に形成された挿し口に接着剤を塗布し、この状態で継手２ｅ〜２ｇの受け口に直管２ａ〜２ｄの挿し口を挿入するＴＳ接合（Ｔａｐｅｒ  ｓｉｚｅｄ  ｓｏｌｖｅｎｔ  ｗｅｌｄｉｎｇ接合）により、継手２ｅ〜２ｇと直管２ａ〜２ｄとが接合され、これにより、直管２ａ〜２ｄが矩形状に連結される。
【００２７】
キャップ２ｈ，２ｉは、図１に示すように、直管２ａ，２ｄの端部２ａ１，２ｄ１に装着される有底筒状のエンドキャップであって、例えば、ＶＰキャップ等の硬質ＰＶＣキャップである。
【００２８】
キャップ２ｈは、図１に示すように、貯留管２の一端部に位置するものであって、取水部３が設けられるものである。キャップ２ｈは、図２に示すように、直管２ａの端部２ａ１に装着される円筒状の筒部２ｈ１と、筒部２ｈ１の端部を閉塞する底部２ｈ２と、を有してなる。底部２ｈ２の端面は、平面となるように形成される。底部２ｈ２には、中央部を貫通し内周部に雌ねじが形成された雌ねじ孔２ｈ３と、雌ねじ孔２ｈ３の上部を貫通し内周部に雌ねじが形成された雌ねじ孔２ｈ４と、が設けられる。雌ねじ孔２ｈ３は、直管２ａの内部に水道水Ｗを取り込む取水部３の取水口（水道水Ｗの流入口）である。雌ねじ孔２ｈ４は、バキュームブレーカ７の雄ねじ部７ｂが螺合してバキュームブレーカ７をキャップ２ｈに装着するとともに、断水時において、貯留管２の内部の負圧を解消するために、バキュームブレーカ７により直管２ａの内部に外気を取り込む吸気口として機能するものである。
【００２９】
キャップ２ｉは、図１に示すように、貯留管２の他端部に位置するものであって、給水部４が設けられるものである。キャップ２ｉは、図３に示すように、直管２ｄの端部２ｄ１に装着される円筒状の筒部２ｉ１と、筒部２ｉ１の端部を閉塞する底部２ｉ２と、を有してなる。底部２ｉ２の端面は、平面となるように形成される。底部２ｉ２には、上部を貫通し内周部に雌ねじが形成された雌ねじ孔２ｉ３と、下部を貫通し内周部に雌ねじが形成された雌ねじ孔２ｉ４と、が設けられる。雌ねじ孔２ｉ３は、初期通水時において直管２ｄの内部の空気を外部に排気（空気抜き）する排気口として機能するとともに、直管２ｄの内部の水道水Ｗを外部に給水する給水部４の後述する第１給水部４ａ（水道水Ｗの流出口）である。また、雌ねじ孔２ｉ４は、直管２ｄの内部の水道水Ｗを外部に給水する給水部４の後述する第２給水部４ｂ（水道水Ｗの流出口）である。
【００３０】
なお、直管２ａ〜２ｄは、ＶＰ管に限定されるものではなく、ポリ塩化ビニル薄肉管（ＶＵ管）等の硬質ＰＶＣ管、ポリエチレン（ＰＥ）管、架橋ＰＥ管であってもよい。また、継手２ｅ〜２ｇ及びキャップ２ｈ，２ｉは、ＶＰ継手及びＶＰキャップに限定されるものではなく、ＶＵ継手等の硬質ＰＶＣ継手及びＶＵキャップ等の硬質ＰＶＣキャップであってもよい。さらにまた、直管２ａ〜２ｄ、継手２ｅ〜２ｇ及びキャップ２ｈ，２ｉの材質は、樹脂に限定されるものではなく、ステンレス鋼、黄銅（真鍮）等の金属であってもよい。また、本実施形態では、貯留管２は、直管２ａ〜２ｄ、継手２ｅ〜２ｇ及びキャップ２ｈ，２ｉは、別部材で構成されていたが、直管２ａ〜２ｄ、継手２ｅ〜２ｇ及びキャップ２ｈ，２ｉの全部又は一部を一体で構成してもよい。
【００３１】
かくして、上記のように構成される貯留管２は、図６に示すように、例えば、建物４０の新築・リフォーム時において天井を設置する前に、建物４０の天井裏床スラブ４１（天井裏の一例）に吊り金具４１ａを介して設けられる。天井裏床スラブ４１とは、天井裏に設けられ上階の床スラブ（例えば、鉄筋コンクリート構造の床版）であって、図６では、２階の床スラブを示す。天井裏とは、天井と屋根との間の部分、又は、天井と上階の床スラブとの間の部分であって、図６では、１階の天井（図示せず）と２階の床スラブ（天井裏床スラブ４１）との間の部分である。吊り金具４１ａは、直管２ａ〜２ｄを挟持して、天井裏床スラブ４１に吊り下げ固定する吊りボルトであって、例えば、各直管２ａ〜２ｄに２箇所ずつ設けられる。なお、本実施形態では、貯留管２は、天井裏床スラブ４１に設けられていたが、これに限定されるものではなく、例えば、天井裏に設けられたＨ形鋼や山形鋼等の鋼材に貯留管２を設けてもよいし、天井裏における天井の上面に貯留管２を設ける構成にしてもよい。
【００３２】
取水部３は、図１に示すように、貯留管２のキャップ２ｈに設けられ、貯留管２の内部に水道水Ｗを取り込むものである。取水部３は、図２に示すように、給水管１０に連結されるバルブソケット２０と、バルブソケット２０に連結される逆止弁６と、両端部に逆止弁６及びキャップ２ｈの雌ねじ孔２ｈ３が連結されるニップル２３と、を有してなる。給水管１０は、図６に示すように、図示しない道路の水道本管から図示しない止水栓（元栓）及び図示しない量水器（水道メータ）を介して建物４０の屋内に配水される水道水Ｗを給水する水道管である。
【００３３】
バルブソケット２０は、図２に示すように、給水管１０と逆止弁６とを連結する管状のものであって、例えば、ＶＰバルブソケット等の硬質ＰＶＣバルブソケットである。バルブソケット２０は、一端部（図２の左側端部）に設けられ給水管１０の端部１０ａが連結される筒部２０ａと、他端部（図２の右側端部）に設けられ逆止弁６の雌ねじ孔６ａに螺合する雄ねじ部２０ｂと、を有してなる。筒部２０ａの内周部には、テーパ状の受け口が形成されており、筒部２０ａの受け口に接着剤を塗布し、給水管１０の端部１０ａの外周部に形成された挿し口に接着剤を塗布し、この状態で筒部２０ａの受け口に給水管１０の端部１０ａの挿し口を挿入するＴＳ接合により、給水管１０とバルブソケット２０とが接合されて連結される。
【００３４】
逆止弁６は、断水時において、給水管１０の圧力が下がり、貯留管２の内部は、平常時の給水時の圧力が一時的に保持されることから、貯留管２の内部の圧力が給水管１０の圧力より高くなるため、内部の図示しないスプリング式の弁により内周部が閉止されて、貯留管２の内部と取水部３の外部とを遮断するものである。逆止弁６は、管状のものであって、例えば、ＣＡＣ４０６などの青銅（砲金）等の金属により形成され、図２に示すように、一端部（図２の左側端部）に設けられ、バルブソケット２０の雄ねじ部２０ｂが螺合する雌ねじ孔６ａと、他端部（図２の右側端部）に設けられ、ニップル２３の雄ねじ部２３ａに螺合する雌ねじ孔６ｂと、を有してなる。これにより、バルブソケット２０と逆止弁６とがねじ結合により連結され、逆止弁６とニップル２３とがねじ結合により連結される。この場合には、断水時において、取水部３の圧力が下がり、貯留管２の内部は、平常時の給水時の圧力が一時的に保持されることから、貯留管２の内部の圧力が給水管１０の圧力より高くなるため、逆止弁６により貯留管２の内部と取水部３の外部とが遮断され、貯留管２の内部に貯留された水道水Ｗが取水部３の外部に逆流することを防止でき、もって、貯留管２の内部に水道水Ｗを確実に保持することができる。
【００３５】
ニップル２３は、両ニップル（両側ニップル）と呼ばれ、部品同士をねじ結合する管状のものであって、例えば、ＳＵＳ３０４などのステンレス合金等の金属により形成される。ニップル２３は、図２に示すように、一端部（図２の左側端部）に設けられ、逆止弁６の雌ねじ孔６ｂが螺合する雄ねじ部２３ａと、他端部（図２の右側端部）に設けられキャップ２ｈの雌ねじ孔２ｈ３に螺合する雄ねじ部２３ｂと、を有してなる。これにより、逆止弁６とニップル２３とがねじ結合により連結され、ニップル２３とキャップ２ｈの雌ねじ孔２ｈ３とがねじ結合により連結される。
【００３６】
かくして、上記のように構成される取水部３は、給水管１０、バルブソケット２０、逆止弁６、ニップル２３及びキャップ２ｈの雌ねじ孔２ｈ３の内部を水道水Ｗが流通可能に連結される。これにより、給水管１０から給水された水道水Ｗは、バルブソケット２０、逆止弁６、ニップル２３及びキャップ２ｈの雌ねじ孔２ｈ３を介して、貯留管２の内部に取り込まれることとなる。
【００３７】
バキュームブレーカ７は、断水時において、外気を貯留管２の内部に取り込むことによって、貯留管２の内部の負圧を解消するもの（負圧破壊装置）であって、例えば、ＣＡＣ４０６などの砲金やＣ３６０４Ｂ（快削黄銅）などの真鍮等の金属により形成される。バキュームブレーカ７は、図２に示すように、一端部（図２の左側端部）に設けられ外気を取り込む吸気口７ａと、他端部（図２の右側端部）に設けられキャップ２ｈの雌ねじ孔２ｈ４に螺合する雄ねじ部７ｂと、を有してなる。本実施形態では、貯留管２の内部が正圧であるとき、バキュームブレーカ７の内部の図示しないボール式の弁によりバキュームブレーカ７の内周部が閉止されて、外気が貯留管２の内部に取り込まれることがない。一方、貯留管２の内部が負圧であるとき、内部の図示しないボール式の弁がバキュームブレーカ７の内周部から離間して隙間が形成されることにより、吸気口７ａから吸入された外気が貯留管２の内部に取り込まれることとなる。この場合には、断水時において、バキュームブレーカ７により外気を貯留管２の内部に取り込むことによって、貯留管２の内部の負圧が解消され、給水部４より水道水Ｗを給水することができ、もって、給水部４から貯留管２の内部に貯留された水道水Ｗを確実に給水することができる。
【００３８】
複数の整流板５は、図１に示すように、貯留管２の内部に設けられ、図２に示すように、蛇行状の流水路ＲＷを形成するものであって、貯留管２の内部に取り込まれる水道水Ｗを蛇行状の流水路ＲＷに沿うように流すことにより、水道水Ｗを整流するものである。複数の整流板５は、図２に示すように、貯留管２の内部において貯留管２の一端部に近接する位置、詳細には、直管２ａの内部においてキャップ２ｈに近接する位置に配設してなる。複数の整流板５は、図２に示すように、直管２ａの内周面２ａ２に離間して設けられる第１整流板５ａ，５ｃと、直管２ａの内周面２ａ２に接触して設けられ貫通孔５ｂ２（図５参照）を有する第２整流板５ｂとが、交互に配設してなる。詳細には、複数の整流板５は、直管２ａの内周面２ａ２に離間して設けられる第１整流板５ａと、第１整流板５ａと離間するとともに直管２ａの内周面２ａ２に接触して設けられ貫通孔５ｂ２を有する第２整流板５ｂと、第２整流板５ｂと離間するとともに直管２ａの内周面２ａ２に離間して設けられる第１整流板５ｃと、を有してなる。第１整流板５ａ，５ｃ及び第２整流板５ｂは、図２、図４及び図５に示すように、円板部材であって、例えば、硬質ＰＶＣにより形成される。
【００３９】
第１整流板５ａ，５ｃは、図４に示すように、円板状の本体部５ａ１，５ｃ１と、本体部５ａ１，５ｃ１を貫通する４箇所の取付穴５ａ２，５ｃ２と、を有してなる。第１整流板５ａ，５ｃの４箇所の取付穴５ａ２，５ｃ２は、図２に示すように、キャップ２ｈの底部２ｈ２に立設された４本のロッド８に挿通され、第１整流板５ａ，５ｃを夫々８個のナット９で挟持することにより、第１整流板５ａ，５ｃを直管２ａの内部に配設するためのものである。ロッド８は、図２に示すように、外周部の全体に雄ねじが形成された寸切ボルト（長ねじ、全ねじ）であって、キャップ２ｈの底部２ｈ２にタッピングねじによって固定されるタイロッド（繋ぎ材）である。ナット９は、ロッド８の雄ねじに螺合する雌ねじを有する六角ナットである。ロッド８及びナット９は、例えば、ＳＵＳ３０４などのステンレス合金等の金属により形成される。
【００４０】
第２整流板５ｂは、図５に示すように、円板状の本体部５ｂ１と、本体部５ｂ１の中央部に形成され水道水Ｗ（図２参照）の流水路ＲＷ（図２参照）となる貫通孔５ｂ２と、貫通孔５ｂ２の周囲において本体部５ｂ１を貫通する４箇所の取付穴５ｂ３と、本体部５ｂ１の上部及び下部において扇形状に切り欠かれ水道水Ｗに含まれる空気が挿通可能な空気孔として機能する２箇所の切り欠き５ｂ４と、を有してなる。第２整流板５ｂの４箇所の取付穴５ｂ３は、図２に示すように、キャップ２ｈの底部２ｈ２に立設された４本のロッド８に挿通され、第２整流板５ｂを夫々８個のナット９で挟持することにより、第２整流板５ｂを直管２ａの内部に配設するためのものである。
【００４１】
第２整流板５ｂの外径は、図２に示すように、直管２ａの内径よりやや小さくなるように形成され、第１整流板５ａ，５ｃの外径は、第２整流板５ｂの外径よりも小さくなるように形成されている。これにより、第２整流板５ｂが直管２ａの内周面２ａ２に接触して設けられるとともに、第１整流板５ａ，５ｃが直管２ａの内周面２ａ２に離間して設けられることとなる。それゆえ、取水部３より貯留管２の内部に取り込まれる水道水Ｗは、図２に示すように、まず、キャップ２ｈの雌ねじ孔２ｈ３から第１整流板５ａに向けて直流し、次いで、第１整流板５ａと直管２ａの内周面２ａ２との間の隙間を流通し、次いで、第２整流板５ｂの貫通孔５ｂ２を流通し、そして、第１整流板５ｃと直管２ａの内周面２ａ２との間の隙間を流通する蛇行状の流水路ＲＷに沿って整流されて流れることとなる。
【００４２】
かくして、本実施形態においては、複数の整流板５を、貯留管２の内部において貯留管２のキャップ２ｈに近接する位置、すなわち、一般に、貯留管２の内部の圧力が高く、貯留管２の内部の水道水Ｗの流れが乱流になりやすい貯留管２の内部の水道水Ｗ取り込み位置に配設してなるから、貯留管２の内部の水道水Ｗの流れが乱流になることを確実に抑制することができる。これにより、貯留管２の内部の水道水Ｗの流れを層流にすることができ、もって、貯留管２の内部の水道水Ｗの流れを安定させることができる。それゆえ、貯留管２の内部の水道水Ｗが、貯留管２の内部で滞留することがなくなるから、常に新鮮な水道水Ｗ、すなわち、飲料水を常に家庭内や職場内等に備蓄することができる。
【００４３】
さらに、本実施形態においては、複数の整流板５を、貯留管２の内周面２ａ２に離間して設けられる第１整流板５ａ，５ｃと、第１整流板５ａ，５ｃと離間するとともに貯留管２の内周面２ａ２に接触して設けられ貫通孔５ｂ２を有する第２整流板５ｂと、を交互に配設してなるから、簡素な構成により、蛇行状の流水路ＲＷを簡単に形成することができる。
【００４４】
給水部４は、図１に示すように、貯留管２のキャップ２ｉに設けられ、貯留管２の内部に貯留された水道水Ｗを外部に給水するものである。給水部４は、図３に示すように、キャップ２ｉの上部に設けられる第１給水部４ａと、キャップ２ｉの下部に設けられる第２給水部４ｂと、を有してなる。第１給水部４ａは、給水管１１に連結されるバルブソケット２１を有し、第２給水部４ｂは、給水管１２に連結されるバルブソケット２２を有してなる。給水管１１は、図６に示すように、建物４０の屋内に設置された洗面台４３及び洗濯機４４に給水する水道管であって、キャップ２ｉの上部に配置された第１給水部４ａのバルブソケット２１に接続される合流管１１ｂと、合流管１１ｂの先端部から２方向に分岐する分岐管１１ｃ，１１ｄと、を有してなる。分岐管１１ｃの先端部には、洗面台４３の蛇口４３ａが接続され、分岐管１１ｄの先端部には、洗濯機４４の取水口４４ａが接続される。一方、給水管１２は、図６に示すように、建物４０の屋内に設置されたキッチン４２に給水する水道管であって、キャップ２ｉの下部に配置された第２給水部４ｂのバルブソケット２２に接続され、給水管１２の先端部には、キッチン４２の蛇口４２ａが接続される。キッチン４２の蛇口４２ａ、洗面台４３の蛇口４３ａ及び洗濯機４４の取水口４４ａには、図示しない止水栓が設けられており、止水栓を閉止することによって給水を停止することができるとともに、止水栓を開放することによって、給水を開始することができる。
【００４５】
バルブソケット２１は、図３に示すように、給水管１１とキャップ２ｉとを連結する管状のものであって、例えば、ＶＰバルブソケット等の硬質ＰＶＣバルブソケットである。バルブソケット２１は、一端部（図３の左側端部）に設けられ給水管１１の端部１１ａが連結される筒部２１ａと、他端部（図３の右側端部）に設けられキャップ２ｉの雌ねじ孔２ｉ３に螺合する雄ねじ部２１ｂと、を有してなる。筒部２１ａの内周部には、テーパ状の受け口が形成されており、筒部２１ａの受け口に接着剤を塗布し、給水管１１の端部１１ａの外周部に形成された挿し口に接着剤を塗布し、この状態で筒部２１ａの受け口に給水管１１の端部１１ａの挿し口を挿入するＴＳ接合により、給水管１１とバルブソケット２１とが接合されて連結される。
【００４６】
バルブソケット２２は、図３に示すように、給水管１２とキャップ２ｉとを連結する管状のものであって、例えば、ＶＰバルブソケット等の硬質ＰＶＣバルブソケットである。バルブソケット２２は、一端部（図３の左側端部）に設けられ給水管１２の端部１２ａが連結される筒部２２ａと、他端部（図３の右側端部）に設けられキャップ２ｉの雌ねじ孔２ｉ４に螺合する雄ねじ部２２ｂと、を有してなる。筒部２２ａの内周部には、テーパ状の受け口が形成されており、筒部２２ａの受け口に接着剤を塗布し、給水管１２の端部１２ａの外周部に形成された挿し口に接着剤を塗布し、この状態で筒部２２ａの受け口に給水管１２の端部１２ａの挿し口を挿入するＴＳ接合により、給水管１２とバルブソケット２２とが接合されて連結される。
【００４７】
次に、上記のように構成される非常用飲料水貯留管１の使用方法について説明する。
【００４８】
まず、図６に示すように、キッチン４２の蛇口４２ａを閉止し、洗面台４３の蛇口４３ａ及び洗濯機４４の取水口４４ａを開放し、図２に示すように、図示しない止水栓（元栓）を開放すると、水道水Ｗは、給水管１０、バルブソケット２０、逆止弁６、ニップル２３、キャップ２ｈの雌ねじ孔２ｈ３を流れ、貯留管２の内部に取り込まれる。貯留管２の内部に取り込まれた水道水Ｗは、図２に示すように、整流板５によって形成される蛇行状の流水路ＲＷに沿って整流されて流れ、図１に示すように、直管２ａ、継手２ｅ、直管２ｂ、継手２ｆ、直管２ｃ、継手２ｇ、直管２ｄを流れる。すると、図３に示すように、水道水Ｗは、キャップ２ｉの雌ねじ孔２ｉ４、バルブソケット２２、給水管１２を流れて充満し、キャップ２ｉの雌ねじ孔２ｉ４、バルブソケット２２、給水管１２及び貯留管２の内部に充填されていた空気が、キャップ２ｉの雌ねじ孔２ｉ３、バルブソケット２１、給水管１１を流れて、洗面台４３の蛇口４３ａ及び洗濯機４４の取水口４４ａから排気される。そして、貯留管２の内部から空気が排気されて貯留管２の内部に水道水Ｗが充満すると、水道水Ｗは、キャップ２ｉの雌ねじ孔２ｉ３、バルブソケット２１、給水管１１を流れて、洗面台４３の蛇口４３ａ及び洗濯機４４の取水口４４ａから給水される。そして最後に、洗面台４３の蛇口４３ａ及び洗濯機４４の取水口４４ａを閉止する。
【００４９】
かくして、この状態にした後、平常時においては、キッチン４２の蛇口４２ａ、洗面台４３の蛇口４３ａ及び洗濯機４４の取水口４４ａを開放することによって、普段通りの水道水Ｗとして使用することができる。一方、断水時においては、貯留管２の内部が負圧になることにより貯留管２の内部に水道水Ｗが保持される。この保持された水道水Ｗを飲料水として使用する場合には、洗面台４３の蛇口４３ａ及び洗濯機４４の取水口４４ａを閉止し、キッチン４２の蛇口４２ａを開放すると、バキュームブレーカ７によって貯留管２の内部の負圧が解消されることにより、貯留管２の内部に貯留された水道水Ｗがキッチン４２の蛇口４２ａから給水されて飲料水として使用することができる。なお、断水時において、洗面台４３の蛇口４３ａ及び洗濯機４４の取水口４４ａを閉止しなかったとしても、給水する場合は、給水管１２のみ、すなわち、キッチン４２の蛇口４２ａのみから給水でき、給水管１１、すなわち、洗面台４３の蛇口４３ａ及び洗濯機４４の取水口４４ａからは給水できないようになっている。すなわち、図３に示すように、断水時においては、喫水線ＫＬ上に水道水Ｗが貯留されることがないため、その喫水線ＫＬ上に設けられている給水管１１からは貯留された水道水Ｗを給水することができない。これにより、非常時に飲料水を優先的に確保することができると共に、誤って、洗面台４３の蛇口４３ａ及び洗濯機４４の取水口４４ａより貯留された水道水Ｗを給水してしまう事態を低減させることができる。
【００５０】
しかして、以上説明した本実施形態によれば、取水部３より貯留管２の内部に取り込まれる水道水Ｗは、貯留管２の内部に設けられる複数の整流板５によって形成される蛇行状の流水路ＲＷに沿って整流されて流れる。これにより、平常時においては、給水部４より給水され、普段通りの水道水Ｗとして使用することができる一方、断水時においては、貯留管２の内部が負圧になることにより貯留管２の内部に水道水Ｗが保持される。この保持された水道水Ｗを飲料水として使用する場合には、貯留管２の内部の負圧を解消することにより給水部４より給水することができる。したがって、貯留管２の内部の水道水Ｗは、貯留管２の内部で滞留することがなく、もって、常に新鮮な水道水Ｗ、すなわち、飲料水を常に家庭内や職場内等に備蓄することができる。
【００５１】
さらに、本実施形態によれば、通常、建物４０のデッドスペースとなっている建物４０の天井裏床スラブ４１に貯留管２が設けられるから、貯留管２の容量を十分に維持しながら、貯留管２の設置場所を容易に確保することができる。これにより、必要最低限の新鮮な飲料水を確保することができる。
【００５２】
さらにまた、本実施形態によれば、管状の貯留管２が設けられているから、建物４０の天井裏床スラブ４１に貯留管２を容易に設置できるとともに、例えば、汎用の水道管を構成する部品（一例として、直管２ａ〜２ｄ、継手２ｅ〜２ｇ）を使用して貯留管２を容易かつ安価に製作することができる。
【００５３】
＜第２実施形態＞
次に、本発明に係る非常用飲料水貯留管の第２実施形態を、図７及び図８を参照して具体的に説明する。なお、第１実施形態と同一の構成については、同一の符号を付し、説明は省略する。
【００５４】
第２実施形態に係る非常用飲料水貯留管１Ａは、第１実施形態に係る矩形状の貯留管２をベランダ５０のベランダ屋根軒天５１に設けられるＵ字形状の貯留管２Ａとしただけの相違であり、それに伴い、各部材の配置が異なっているだけの相違である。この点、以下に詳しく説明することとする。
【００５５】
貯留管２Ａは、図７に示すように、直管２ａ〜２ｃと、直管２ａと直管２ｂとを連結する継手２ｅと、直管２ｂと直管２ｃとを連結する継手２ｆと、直管２ａの端部に装着されるキャップ２ｈと、直管２ｃの端部に装着されるキャップ２ｉと、を有してなる。継手２ｅ，２ｆの両端部の内周部には、テーパ状の受け口が形成されており、継手２ｅ，２ｆの受け口に接着剤を塗布し、直管２ａ〜２ｃの両端部（ただし、直管２ａの一端部及び直管２ｃの他端部を除く）の外周部に形成された挿し口に接着剤を塗布し、この状態で継手２ｅ，２ｆの受け口に直管２ａ〜２ｃの挿し口を挿入するＴＳ接合により、継手２ｅ，２ｆと直管２ａ〜２ｃとが接合され、これにより、直管２ａ〜２ｃがＵ字形状に連結される。また、貯留管２Ａの表面には、例えば、テフロン（登録商標）シールテープなどのポリテトラフルオロエチレン（ＰＴＦＥ）シールテープ等の保温テープ（図示せず）が巻回される。このような保温テープを設けることによって、特に、昼夜の気温差が大きい建物の屋外に貯留管２Ａが設けられる場合には、貯留管２Ａの表面に結露の発生を防止することができるから、貯留管２Ａの損傷・破損を抑制することができる。
【００５６】
貯留管２Ａは、図８に示すように、ベランダ５０のベランダ屋根軒天５１（軒天の一例）に吊り金具５１ａを介して設けられる。ベランダ５０とは、建物の屋外において建物の外側に張り出した部分であって、屋根や庇を有するバルコニーやテラスを含み、図８では、２階のベランダを示す。軒天とは、軒（屋根の下端において、建物の外側に突出した部分）の裏面であって、ベランダ屋根軒天５１とは、ベランダ５０に設けられたベランダ屋根の裏面である。吊り金具５１ａは、直管２ａ〜２ｃを挟持して、ベランダ屋根軒天５１に吊り下げ固定する吊りボルトであって、図８では、直管２ａ，２ｃに２箇所ずつ設けられる。また、給水管１０〜１２は、建物の屋内に引き込まれており、その他の構成は、第１実施形態と同様である。なお、ベランダ５０のベランダ屋根軒天５１に、貯留管２Ａの全体を覆う図示しない筐状のカバー部材を設けてもよい。このようなカバー部材を設けることによって、貯留管２Ａを風雨等から保護することができるから、貯留管２Ａの損傷・破損をさらに抑制することができる。
【００５７】
しかして、本実施形態においても、取水部３より貯留管２Ａの内部に取り込まれる水道水Ｗは、貯留管２Ａの内部に設けられる複数の整流板５によって形成される蛇行状の流水路ＲＷに沿って整流されて流れ、平常時においては、給水部４より給水され、普段通りの水道水Ｗとして使用することができる一方、断水時においては、貯留管２Ａの内部が負圧になることにより貯留管２Ａの内部に水道水Ｗが保持されることとなる。この保持された水道水Ｗを飲料水として使用する場合には、貯留管２Ａの内部の負圧を解消することにより給水部４より給水することができる。したがって、貯留管２Ａの内部の水道水Ｗは、貯留管２Ａの内部で滞留することがなく、もって、常に新鮮な水道水Ｗ、すなわち、飲料水を常に家庭内や職場内等に備蓄することができる。
【００５８】
さらに、本実施形態によれば、通常、ベランダ５０のデッドスペースとなっているベランダ５０のベランダ屋根軒天５１に貯留管２Ａが設けられるから、貯留管２Ａの容量を十分に維持しながら、貯留管２Ａの設置場所を容易に確保することができる。これにより、必要最低限の新鮮な飲料水を確保することができる。
【００５９】
さらにまた、本実施形態によれば、管状の貯留管２Ａが設けられているから、ベランダ５０のベランダ屋根軒天５１に貯留管２Ａを容易に設置できるとともに、例えば、汎用の水道管を構成する部品（一例として、直管２ａ〜２ｃ、継手２ｅ，２ｆ）を使用して貯留管２Ａを容易かつ安価に製作することができる。
【符号の説明】
【００６０】
１，１Ａ        非常用飲料水貯留管
２，２Ａ        貯留管
２ａ〜２ｄ      直管
２ａ１，２ｄ１  端部
２ａ２          内周面
２ｅ〜２ｇ      継手
２ｈ            キャップ
２ｈ１          筒部
２ｈ２          底部
２ｈ３，２ｈ４  雌ねじ孔
２ｉ            キャップ
２ｉ１          筒部
２ｉ２          底部
２ｉ３，２ｉ４  雌ねじ孔
３              取水部
４              給水部
４ａ            第１給水部
４ｂ            第２給水部
５              整流板
５ａ，５ｃ      第１整流板
５ａ１，５ｃ１  本体部
５ａ２，５ｃ２  取付穴
５ｂ            第２整流板
５ｂ１          本体部
５ｂ２          貫通孔
５ｂ３          取付穴
５ｂ４          切り欠き
６              逆止弁
６ａ，６ｂ      雌ねじ孔
７              バキュームブレーカ
７ａ            吸気口
７ｂ            雄ねじ部
８              ロッド
９              ナット
１０            給水管
１０ａ          端部
１１            給水管
１１ａ          端部
１１ｂ          合流管
１１ｃ，１１ｄ  分岐管
１２            給水管
１２ａ          端部
２０〜２２      バルブソケット
２０ａ〜２２ａ  筒部
２０ｂ〜２２ｂ  雄ねじ部
２３            ニップル
２３ａ，２３ｂ  雄ねじ部
４０            建物
４１            天井裏床スラブ
４１ａ          吊り金具
４２            キッチン
４２ａ          蛇口
４３            洗面台
４３ａ          蛇口
４４            洗濯機
４４ａ          取水口
５０            ベランダ
５１            ベランダ屋根軒天
５１ａ          吊り金具
ＲＷ            流水路
Ｗ              水道水
【図１】
0006352885.tif 000002
【図２】
0006352885.tif 000003
【図３】
0006352885.tif 000004
【図４】
0006352885.tif 000005
【図５】
0006352885.tif 000006
【図６】
0006352885.tif 000007
【図７】
0006352885.tif 000008
【図８】
0006352885.tif 000009